【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  複数の画素が設けられた基材と、
前記基材上に配置された反射膜と、
前記画素内における前記反射膜が設けられていない領域である透過領域と、
前記画素内において、前記反射膜に重なる領域を除いた領域に配置された着色層とを備えてなることを特徴とするカラーフィルタ基板。
【請求項２】  複数の画素が設けられた基材と、
前記基材上に配置された反射膜と、
前記画素内における前記反射膜が設けられていない領域である透過領域と、
前記画素内において、前記透過領域を除いた領域に配置された着色層とを備えてなることを特徴とするカラーフィルタ基板。
【請求項３】  複数の画素が設けられた基材上の当該画素内の一部に反射膜を形成する工程と、
前記画素内において、前記反射膜に重なる領域を除いた領域内に着色層を形成する工程とを含むことを特徴とするカラーフィルタ基板の製造方法。
【請求項４】  複数の画素が設けられた基材上の当該画素内の一部に反射膜を形成する工程と、
前記画素内において、前記反射膜が設けられていない領域である透過領域を除いた領域に着色層を形成する工程とを含むことを特徴とするカラーフィルタ基板の製造方法。
【請求項５】  複数の画素が設けられた基材上の当該画素内の一部に反射膜を形成する工程と、
前記画素内に着色層を形成する工程と、
前記画素内において、前記反射膜が設けられていない領域である透過領域に形成された前記着色層を除去する工程とを含むことを特徴とするカラーフィルタ基板の製造方法。
【請求項６】  一対の基板と、
前記一対の基板のうち一方の基板上に配置された反射膜と、
前記画素内における前記反射膜が設けられていない領域である透過領域と、
前記画素内において、前記反射膜に重なる領域を除いた領域に配置された着色層とを備えてなることを特徴とする液晶表示装置。
【請求項７】  一対の基板と、
前記一対の基板のうち一方の基板上に配置された反射膜と、
前記画素内における前記反射膜が設けられていない領域である透過領域と、
前記画素内において、前記透過領域を除いた領域に配置された着色層とを備えてなることを特徴とする液晶表示装置。
【請求項８】  一対の基板と、
前記一対の基板のうち一方の基板上に配置された反射膜と、
前記画素内における前記反射膜が設けられていない領域である透過領域と、
前記一対の基板のうち他方の基板上に配置された着色層とを備え、
前記着色層が、前記画素内における前記反射膜に重なる領域を除いた領域に配置されていることを特徴とする液晶表示装置。
【請求項９】  一対の基板と、
前記一対の基板のうち一方の基板上に配置された反射膜と、
前記画素内における前記反射膜が設けられていない領域である透過領域と、
前記一対の基板のうち他方の基板上に配置された着色層とを備え、
前記着色層が、前記画素内における前記透過領域を除いた領域に配置されていることを特徴とする液晶表示装置。
【手続補正２】
【補正対象書類名】明細書
【補正対象項目名】０００９
【補正方法】変更
【補正の内容】
【０００９】
【課題を解決するための手段】
上記目的を達成するため、本発明のカラーフィルタ基板は、複数の画素が設けられた基材と、前記基材上に配置された反射膜と、前記画素内における前記反射膜が設けられていない領域である透過領域と、前記画素内において、前記反射膜に重なる領域を除いた領域に配置された着色層とを備えてなることを特徴とする（以下、「第１の発明」ということがある）。
【手続補正３】
【補正対象書類名】明細書
【補正対象項目名】００１１
【補正方法】変更
【補正の内容】
【００１１】
また、本発明のカラーフィルタ基板は、複数の画素が設けられた基材と、前記基材上に配置された反射膜と、前記画素内における前記反射膜が設けられていない領域である透過領域と、前記画素内において、前記透過領域を除いた領域に配置された着色層とを備えてなることを特徴とする（以下、「第２の発明」ということがある）。
【手続補正４】
【補正対象書類名】明細書
【補正対象項目名】００１３
【補正方法】変更
【補正の内容】
【００１３】
また、本発明のカラーフィルタ基板の製造方法は、複数の画素が設けられた基材上の当該画素内の一部に反射膜を形成する工程と、前記画素内において、前記反射膜に重なる領域を除いた領域内に着色層を形成する工程とを含むことを特徴とする（以下、「第３の発明」ということがある）。
【手続補正５】
【補正対象書類名】明細書
【補正対象項目名】００１５
【補正方法】変更
【補正の内容】
【００１５】
また、本発明のカラーフィルタ基板の製造方法は、複数の画素が設けられた基材上の当該画素内の一部に反射膜を形成する工程と、前記画素内において、前記反射膜が設けられていない領域である透過領域を除いた領域に着色層を形成する工程とを含むことを特徴とする（以下、「第４の発明」ということがある）。
【手続補正６】
【補正対象書類名】明細書
【補正対象項目名】００１７
【補正方法】変更
【補正の内容】
【００１７】
また、本発明のカラーフィルタ基板の製造方法は、複数の画素が設けられた基材上の当該画素内の一部に反射膜を形成する工程と、前記画素内に着色層を形成する工程と、前記画素内において、前記反射膜が設けられていない領域である透過領域に形成された前記着色層を除去する工程とを含むことを特徴とする（以下、「第５の発明」ということがある）。
【手続補正７】
【補正対象書類名】明細書
【補正対象項目名】００１９
【補正方法】変更
【補正の内容】
【００１９】
また、本発明の液晶表示装置は、一対の基板と、前記一対の基板のうち一方の基板上に配置された反射膜と、前記画素内における前記反射膜が設けられていない領域である透過領域と、前記画素内において、前記反射膜に重なる領域を除いた領域に配置された着色層とを備えてなることをを特徴とする（以下、「第６の発明」ということがある）。
【手続補正８】
【補正対象書類名】明細書
【補正対象項目名】００２１
【補正方法】変更
【補正の内容】
【００２１】
また、本発明の液晶表示装置は、一対の基板と、前記一対の基板のうち一方の基板上に配置された反射膜と、前記画素内における前記反射膜が設けられていない領域である透過領域と、前記画素内において、前記透過領域を除いた領域に配置された着色層とを備えてなることを特徴とする（以下、「第７の発明」ということがある）。
【手続補正９】
【補正対象書類名】明細書
【補正対象項目名】００２３
【補正方法】変更
【補正の内容】
【００２３】
また、本発明の液晶表示装置は、一対の基板と、前記一対の基板のうち一方の基板上に配置された反射膜と、前記画素内における前記反射膜が設けられていない領域である透過領域と、前記一対の基板のうち他方の基板上に配置された着色層とを備え、前記着色層が、前記画素内における前記反射膜に重なる領域を除いた領域に配置されていることを特徴とするものであってもよい（以下、「第８の発明」ということがある）。
【手続補正１０】
【補正対象書類名】明細書
【補正対象項目名】００２５
【補正方法】変更
【補正の内容】
【００２５】
また、本発明の液晶表示装置は、一対の基板と、前記一対の基板のうち一方の基板上に配置された反射膜と、前記画素内における前記反射膜が設けられていない領域である透過領域と、前記一対の基板のうち他方の基板上に配置された着色層とを備え、前記着色層が、前記画素内における前記透過領域を除いた領域に配置されていることを特徴とするものであってもよい（以下、「第９の発明」ということがある）。